(57)【要約】【課題】  蛍光灯環境下である場合を判断し、そのような環境下では輝度を制御することでフリッカ・カラーローリングの発生を低減させるインターホン装置を提供する。【解決手段】  居住者を呼び出すための玄関子機１に、照度環境に応じて変化するカメラ１２の電子シャッターの開時間を読み取り、読み取った開時間が所定の閾値より長い場合は、撮像映像の目標輝度を所定の第１の輝度に設定する子機ＣＰＵ１７を設け、カメラＤＳＰ１２ａは設定された輝度に近づくよう電子シャッターの開時間を制御する。【選択図】  図１
2015186118.tif 000002
【特許請求の範囲】
【請求項１】
呼び出し／通話機能に加えて操作者を撮像するためのカメラを備えた玄関子機と、前記玄関子機からの呼び出しに応答する機能に加えて前記カメラの撮像映像を表示するモニタを備えた居室親機とを有するインターホン装置であって、
照度環境に応じ変化する前記カメラの電子シャッターの開時間を読み取り、読み取った開時間が所定の閾値より長い場合は、撮像映像の目標輝度を所定の第１の輝度に設定する輝度設定手段と、
前記第１の輝度に近づくよう前記電子シャッターの開時間を制御する電子シャッター制御手段とを備えたことを特徴とするインターホン装置。
【請求項２】
前記輝度設定手段は、読み取った前記電子シャッターの開時間が前記所定の閾値以下である場合には所定の第２の輝度を目標値として設定し、前記第１の輝度は前記第２の輝度より明るい輝度であることを特徴とする請求項１記載のインターホン装置。
【発明の詳細な説明】
【技術分野】
【０００１】
本発明はインターホン装置に関し、特に玄関子機に備えられたカメラが蛍光灯照明下であっても良好に撮像できるインターホン装置に関する。
【背景技術】
【０００２】
来訪者が居住者を呼び出して通話ができるインターホン装置は、玄関に設置された玄関子機と住戸内に設置された居室親機とを備え、セキュリティ向上のため玄関子機に来訪者を撮像するためのカメラを備えると共に居室親機にその映像を表示するモニタを備えたものが普及している。
この場合、玄関子機に組み込まれたカメラは、レンズを通して入った光がＣＣＤ等のセンサにて電気信号に変換するものが使用され、ＮＴＳＣ出力された信号が居室親機に伝送されてモニターに表示される（例えば、特許文献１参照）。
【先行技術文献】
【特許文献】
【０００３】
【特許文献１】特開２００１−２４５２８６号公報
【発明の概要】
【発明が解決しようとする課題】
【０００４】
しかしながら、カメラを備えた上記従来のインターホン装置では、カメラの撮像素子のフィールド周波数が例えば５９．９４Ｈｚであり、蛍光灯の電源周波数の６０Ｈｚに対して差は僅かではあるため、蛍光灯照明下ではフリッカ・カラーローリング現象が発生した。また、電源周波数が５０Ｈｚの蛍光灯の場合は、６０Ｈｚほど顕著ではないがフリッカ・カラーローリングの発生が認められ、居室親機のモニタが見づらい場合があった。
【０００５】
そこで、本発明はこのような問題点に鑑み、蛍光灯環境下である場合を判断し、そのような環境下では輝度が所定の値になるよう制御することでフリッカ・カラーローリングの発生を低減させるインターホン装置を提供すること目的としている。
【課題を解決するための手段】
【０００６】
上記課題を解決する為に、請求項１の発明は、呼び出し／通話機能に加えて操作者を撮像するためのカメラを備えた玄関子機と、玄関子機からの呼び出しに応答する機能に加えてカメラの撮像映像を表示するモニタを備えた居室親機とを有するインターホン装置であって、照度環境に応じ変化するカメラの電子シャッターの開時間を読み取り、読み取った開時間が所定の閾値より長い場合は、撮像映像の目標輝度を所定の第１の輝度に設定する輝度設定手段と、第１の輝度に近づくよう電子シャッターの開時間を制御する電子シャッター制御手段とを備えたことを特徴とする。
この構成によれば、カメラが撮像している環境の照度に応じて変化する電子シャッターの開時間が一定値を超えたら、撮像映像の輝度目標が所定の輝度に近づくよう電子シャッターの開時間が制御されるため、室内のような蛍光灯環境下の場合は、電子シャッターの開時間を強制的に長くするよう制御できる。よって、蛍光灯の点滅動作において暗くなるタイミングで電子シャッターが開動作しても、開時間自体を長くできるため、フリッカ・カラーローリングの発生を低減することが可能となる。
【０００７】
請求項２の発明は、請求項１に記載の構成において、輝度設定手段は、読み取った電子シャッターの開時間が所定の閾値以下である場合には所定の第２の輝度を目標値として設定し、第１の輝度は第２の輝度より明るい輝度であることを特徴とする。
この構成によれば、蛍光灯環境下にあると判断した場合の目標輝度は、屋外の太陽光下での目標輝度より明るく設定される。よって、蛍光灯環境下では電子シャッターの開時間を十分長くでき、フリッカ・カラーローリングの発生を確実に低減できる。
【発明の効果】
【０００８】
本発明によれば、カメラが撮像している環境の照度に応じて変化する電子シャッターの開時間が一定値を超えたら、撮像映像の輝度目標が予め設定された所定の輝度に近づくよう電子シャッターの開時間が制御されるため、蛍光灯環境下のような夜間の場合は、電子シャッターの開時間を強制的に長くするよう制御できる。よって、蛍光灯の点滅周期において暗くなるタイミングで電子シャッターが開動作しても、開時間自体を長くでき、フリッカ・カラーローリングの発生を低減することが可能となる。
【図面の簡単な説明】
【０００９】
【図１】本発明に係るインターホン装置の一例を示す回路ブロック図である。
【図２】フリッカ・カラーローリング低減処理の流れを示すフローチャートである。
【図３】シャッター動作のタイミング説明図であり、（ａ）はフリッカ・カラーローリングが発生する状態を示し、（ｂ）はフリッカ・カラーローリングが発生しない状態を示している。
【発明を実施するための形態】
【００１０】
以下、本発明を具体化した実施の形態を、図面を参照して詳細に説明する。図１は本発明に係るインターホン装置の構成図であり、１は玄関に設置されて来訪者が居住者を呼び出して通話するための玄関子機、２は玄関子機１からの呼び出しに応答するための居室親機であり、両者は伝送線Ｌ１により接続されている。
【００１１】
玄関子機１は、呼出ボタン１１、来訪者を撮像するためのカメラ１２、通話するためのマイク１３及びスピーカ１４、マイク１３及びスピーカ１４を制御する音響回路１５、映像信号をＦＭ変調するＦＭ変調回路１６、玄関子機１を制御する子機ＣＰＵ１７、居室親機２と通信するための子機ＩＦ１８等を備えている。
【００１２】
カメラ１２は、レンズを介して入射した光を電気信号に変換するＣＣＤやＣ−ＭＯＳなどのセンサで構成される図示しない固体撮像素子や、カメラ１２の撮像映像をデジタル化すると共に、電子シャッター（図示せず）を制御するカメラＤＳＰ１２ａを備えている。
【００１３】
また子機ＣＰＵ１７は、カメラＤＳＰ１２ａに対して電子シャッターの目標値を設定する。子機ＣＰＵ１７は、カメラ１２の撮像環境が自然光（太陽光）下にあるか蛍光灯下にあるか判断するためのシャッター速度の閾値を記憶しており、カメラＤＳＰ１２ａからシャッターの開時間情報であるシャッター速度情報を入手して、設定されている閾値を超えてシャッター開時間が長くなったら蛍光灯環境下にあると判断し、カメラＤＳＰ１２ａに対して目標輝度を蛍光灯環境用に設定した所定値とする。
【００１４】
一方居室親機２は、玄関子機１からの呼び出しに応答するための通話ボタン２１、通話するためのマイク２２及びスピーカ２３、マイク２２及びスピーカ２３を制御する音響回路２４、送信された映像信号を復調するＦＭ復調回路２５、玄関子機１のカメラ１２で撮像した映像を出画するためのモニタ２６、モニタ２６に表示された映像のズームやワイド操作などを行う操作部２７、居室親機２を制御する親機ＣＰＵ２８、玄関子機１と通信するための親機ＩＦ２９等を備えている。
【００１５】
上記の如く構成されたインターホン装置の動作は以下の様である。但し、玄関子機１が呼出操作されると居室親機２にて呼出音が鳴動し、その後通話操作されると通話路が形成される動作は、従来のインターホン装置の動作と同様であるため説明を省略し、ここでは、カメラ１２の撮像動作、特にフリッカ・カラーローリング低減動作を中心に説明する。
【００１６】
図２はフリッカ・カラーローリングの低減処理の流れを示すフローチャートであり、この図２を参照して説明する。来訪者より呼出ボタン１１が押されると玄関子機１のカメラ１２が起動し、入射した光が個体撮像素子を通して電気信号に変換され、カメラＤＳＰ１２ａにてデジタル化処理される。このとき、カメラＤＳＰ１２ａは、照度に応じて輝度が一定となるようシャッターの開時間であるシャッター速度を変更する。
カメラ１２の起動を受けて、子機ＣＰＵ１７はカメラＤＳＰ１２ａからシャッター速度を読み取る（Ｓ１）。続いて、読み取った速度を記憶している閾値と比較し、自然光環境（屋外環境）下か蛍光灯環境（屋内環境）下か判断する（Ｓ２）。
【００１７】
読み取ったシャッター速度から、屋内環境下にあると判断すると（Ｓ２においてＹｅｓ）、子機ＣＰＵ１７はカメラＤＳＰ１２ａに対して目標輝度を蛍光灯環境用（屋内用）に設定した第１の輝度に設定する（Ｓ３）。
【００１８】
一方、読み取ったシャッター速度から、屋外環境下にあると判断したら（Ｓ２においてＮｏ）、子機ＣＰＵ１７はカメラＤＳＰ１２ａに対して目標輝度を屋外用に設定した第２の輝度に設定する（Ｓ４）。
屋内用の目標輝度は、屋外と判断した場合の目標輝度より高い輝度に設定され、シャッター速度を下げる（開時間を長くする）制御を実施する。一方、屋外用に設定した輝度は比較的暗い輝度であり、この輝度を目標とすることで電子シャッターの開時間は短くなるが、映像の白飛びを防止できる。
【００１９】
図３はシャッター動作のタイミング説明図であり、（ａ）はフリッカ・カラーローリングが発生する状態を示し、（ｂ）はフリッカ・カラーローリングが発生しない状態を示している。図３において、Ｔ１はシャッター速度である電子シャッターの開時間、Ｔ２は電子シャッターの閉時間、Ｔ３はシャッター周期を示し、屋内環境下にあると判断されると、屋外と判断した場合の目標輝度より高い輝度に目標輝度を変更することで、シャッターの開時間が延長され、図３（ａ）に示す状態から図３（ｂ）に示す状態へ移行する。結果として、フリッカ・カラーローリングが低減、或いは無くなる。
【００２０】
このように、カメラ１２が撮像している環境の照度に応じて変化する電子シャッターの開時間が一定値を超えたら、撮像映像の輝度目標が所定の輝度に近づくよう電子シャッターの開時間が制御されるため、室内のような蛍光灯環境下の場合は、電子シャッターの開時間を強制的に長くするよう制御できる。よって、蛍光灯の点滅動作において暗くなるタイミングで電子シャッターが開動作しても、開時間自体を長くできるため、フリッカ・カラーローリングの発生を低減することが可能となる。
そして、蛍光灯環境下にあると判断した場合の目標輝度は、屋外の太陽光下での目標輝度より明るく設定されることで、蛍光灯環境下では電子シャッターの開時間を十分長くでき、フリッカ・カラーローリングの発生を確実に低減できる。
【符号の説明】
【００２１】
１・・玄関子機、２・・居室親機、１２・・カメラ、１２ａ・・カメラＤＳＰ（電子シャッター制御手段）、１７・・子機ＣＰＵ（輝度設定手段）、２６・・モニタ。
【図１】
2015186118.tif 000003
【図２】
2015186118.tif 000004
【図３】
2015186118.tif 000005